(57)【要約】【課題】バストアップ効果の高い和装用ブラジャーを提供することを目的とする。【解決手段】和装用のブラジャーであって、少なくともニップル及びニップルよりも下方の乳房を覆い、乳房を互いに接近させる方向に押圧するシート状のカップレス型サポート部と、使用者の肩部に掛け回されることにより前記カップレス型サポート部をリフトするリフト部と、を有することを特徴とする和装用のブラジャー。【選択図】図１
0003151874.tif 000002
【実用新案登録請求の範囲】
【請求項１】
和装用のブラジャーであって、
少なくともニップル及びニップルよりも下方の乳房を覆い、乳房を互いに接近させる方向に押圧するシート状のカップレス型サポート部と、
使用者の肩部に掛け回されることにより前記カップレス型サポート部をリフトするリフト部と、
を有することを特徴とする和装用のブラジャー
【請求項２】
前記カップレス型サポート部は、水平方向に伸縮するストレッチ素材から形成され、
前記リフト部は、上下方向に伸縮するストレッチ素材から形成されていることを特徴とする請求項１に記載の和装用のブラジャー
【請求項３】
前記リフト部は、前記カップレス型サポート部の水平方向の端部に縫着されることにより、乳房を互いに接近させる方向に押圧することを特徴とする請求項１又は２に記載の和装用のブラジャー
【請求項４】
前記リフト部は、ニップルよりも人体の側方側の乳房の一部を覆っていることを特徴とする請求項３に記載の和装用のブラジャー
【請求項５】
前記リフト部は、人体の正面側に沿って延びる第１のリフト部と、人体の背面側に沿って延びる第２のリフト部とからなり、これら第１及び第２のリフト部は人体の側胸部に対応した位置で互いに縫着されていることを特徴とする請求項１乃至４のうちいずれか一つに記載の和装用のブラジャー
【考案の詳細な説明】
【技術分野】
【０００１】
本考案は、ブラジャーに関し、特に和服を着用するときに使用される和装用のブラジャーに関する。
【背景技術】
【０００２】
女性用の下着として販売されているブラジャーには、バストアップ効果、バスト寄せ上げ機能が求められている。
【０００３】
例えば、バストアップ効果及びバスト寄せ上げ機能を備えるブラジャーとして、特許文献１は、左右一対のカップ部を有し、これらカップ部の下部から脇部側にかけて、伸縮方向が部位により異なる方向となるように配設されたサポート布をとりつけてなるカップ部を有するブラジャーを開示する。
【０００４】
特許文献２は、人体胸囲骨格領域を左右の体側部位領域を境界にしてフロント領域とバック領域とに区分し、前記フロント領域に左右の体側部領域から人体の中央に向けた引き寄せる力を作用させる部分を設けたトップを開示する。
【０００５】
特許文献３は、着物を装着したときの身体のラインを美しく見せる機能を有するものとして、一対の肩吊帯からなる和装ブラジャーの前方部分を末広がり状に形成し、この部分に肉厚の補整用パッド材を内蔵させ、胸もとの乱れを補整するようにした和装用ブラジャーを開示する。
【先行技術文献】
【特許文献】
【０００６】
【特許文献１】登録実用新案第３０６２３０７号公報
【特許文献２】特開２００５−０８９８８１号公報
【特許文献３】登録実用新案第３０５２２２２号公報
【考案の概要】
【考案が解決しようとする課題】
【０００７】
しかしながら、特許文献１に記載されているブラジャーでは、バストを寄せるためにカップを互いに接近させる方向に補整すると、左右のカップが接触して、それ以上カップを接近させることができない。そのため、バスト寄せ上げ機能を十分に発揮させることができない。
【０００８】
特許文献２に開示されているブラジャーにおいては、バストを左右に引き寄せる効果のみしかないため、より立体的なバストをつくることができない。
【０００９】
そこで、本考案は、バストアップ効果の高い和装用ブラジャーを提供することを目的とする。
【課題を解決するための手段】
【００１０】
上記課題を解決するために、本考案は（１）和装用のブラジャーであって、少なくともニップル及びニップルよりも下方の乳房を覆い、乳房を互いに接近させる方向に押圧するシート状のカップレス型サポート部と、使用者の肩部に掛け回されることにより前記カップレス型サポート部をリフトするリフト部と、を有する。
【００１１】
（２）（１）の構成において、前記カップレス型サポート部は、水平方向に伸縮するストレッチ素材から形成することができ、前記リフト部は、上下方向に伸縮するストレッチ素材から形成することができる。
【００１２】
（３）（１）又は（２）の構成において、前記リフト部は、前記カップレス型サポート部の水平方向の端部に縫着されることにより、乳房を互いに接近させる方向に押圧することを特徴とする。
【００１３】
（４）（３）の構成において、前記リフト部は、ニップルよりも人体の側方側の乳房の一部を覆っている。
【００１４】
（５）（４）の構成において、前記リフト部は、人体の正面側に沿って延びる第１のリフト部と、人体の背面側に沿って延びる第２のリフト部とからなり、これら第１及び第２のリフト部は人体の側胸部に対応した位置で互いに縫着してもよい。
【考案の効果】
【００１５】
本考案によれば、バストアップ効果を高めることができる。
【図面の簡単な説明】
【００１６】
【図１】和装用ブラジャーの正面図である。
【図２】和装用ブラジャーの側面図である。
【図３】和装用ブラジャーの背面図である。
【考案を実施するための形態】
【００１７】
以下、本考案の実施形態について図面を参照しながら説明する。図１は本実施形態の和装用ブラジャー１の正面図であり、図２は本実施形態の和装用ブラジャー１の側面図であり、図３は本実施形態の和装用ブラジャー１の背面図である。これらの図では、和装用ブラジャー１の構成・作用の説明を容易化するために、和装用ブラジャー１をマネキン３に装着した状態で図示している。
【００１８】
これらの図を参照して、和装用ブラジャー１は、サポート部１０、左右一対のフロント側リフト部２０、左右一対のバック側リフト部３０及び装飾部４０を含む。サポート部１０は、水平方向に延びており、シート状に形成されている。サポート部１０は、使用者のニップル及びニップルよりも下方の乳房を覆う。サポート部１０は、水平方向に伸縮可能なストレッチ素材を用いることができる。
【００１９】
フロント側リフト部２０は、人体の肩部から下側に延びており、人体の脇部及び乳房の側部（ニップルよりも人体の側方の乳房）を覆っている。フロント側リフト部２０の人体中央よりの端部は、サポート部１０の上端部を境にして、その上側領域が上下方向に延びており、その下側領域が下側にいくほど人体の中央よりにシフトしている。フロント側リフト部２０には、上下方向に伸縮可能なストレッチ素材を用いることができる。
【００２０】
サポート部１０の水平方向の端部は、フロント側リフト部２０と乳房との間に位置しており、フロント側リフト部２０の内面側に接続されている。接続方法には縫着を用いることができる。フロント側リフト部２０の下端部は、装飾部４０に接続されている。接続方法には、縫着を用いることができる。
【００２１】
フロント側リフト部２０は、人体の脇部の略中央部においてバック側リフト部３０に接続されている。接続方法には縫い返しを用いることができる。また、フロント側リフト部２０とバック側リフト部３０の境界部分にワイヤーを内在させることもできる。これにより、脇側に胸が流れるのを効果的に防止できる。
【００２２】
バック側リフト部３０は、人体の肩部から下側に延びており、下側にいくほど人体の中央よりにシフトする形状に形成されている。バック側リフト部３０の下端部は、装飾部４０に接続されている。接続方法には、縫着を用いることができる。バック側リフト部３０は、上下方向に伸縮可能なストレッチ素材を用いることができる。
【００２３】
一方のバック側リフト部３０にはフック係合穴部６０が設けられており、他方のバック側リフト部３０にはフック係合穴部６０に係合するフック部６１が設けられている。これらのフック部６１及びフック係合穴部６０は、背中の略中心（水平方向の略中心）の位置において係合する。これにより、和装用ブラジャー１を人体に装着することができる。
【００２４】
フロント側リフト部２０及びバック側リフト部３０は肩部において合流しており、この合流部においては一体的に形成されている。
【００２５】
次に、和装用ブラジャー１を装着することによる作用・効果について説明する。装着状態において、サポート部１０は乳房の曲面に接触することにより伸長しており、その反力により乳房を互いに接近させる方向に押圧している。また、サポート部１０はフロント側リフト部２０に接続されている。したがって、フロント側リフト部２０は、伸長したサポート部１０により人体の中央側に引っ張られる。
【００２６】
これにより、フロント側リフト部２０が乳房の側面から面接触して、乳房の全体を人体の中央側に押圧することができる。さらに、フロント側リフト部２０は上下方向に伸長しており、その反力によりサポート部１０を上方にリフトする。これにより、バストアップ効果を高めている。このように、本実施形態によれば、サポート部１０及びフロント側リフト部２０によるバスト寄せ効果、フロント側リフト部２０によるバスト上げ効果により、バストの谷間をより効果的に強調することができる。さらに、胸の膨らみを、カップなどを使用せずに使用者の肉体を用いて疑似的に表現することができる。
【００２７】
また、サポート部１０をカップレス型に形成することにより、乳房をより接近させやすくすることができる。すなわち、カップ型のブラジャーの場合には、カップを互いに接近させた際にカップ同士が接触するため、胸寄せに限界がある。しかしながら、本実施形態のサポート部１０はカップレスタイプであるため、そのような制約を受けることがない。これにより、より効果的にバスト寄せを行うことができる。
【符号の説明】
【００２８】
１：ブラジャー
１０：サポート部
２０：フロント側リフト部
３０：バック側リフト部
４０：装飾部
【図１】
0003151874.tif 000003
【図２】
0003151874.tif 000004
【図３】
0003151874.tif 000005